(57)【要約】【課題】表示部にタッチパネルが配設される撮影装置において、表示部の表示画面に配置して表示する仮想的スイッチの数を減らすことができるようにする。【解決手段】デジタルカメラ１は、液晶モニタ２０と、液晶モニタ２０に配設されたタッチパネル８と、当該カメラ１の動作に係る制御項目のパラメータを設定する処理等を行うシステムコントローラ１５とを備える。システムコントローラ１５は、その制御項目のパラメータを設定する際に、右矢印ＳＷと左矢印ＳＷを液晶モニタ２０に表示し、タッチパネル８の出力から、右矢印ＳＷがタッチされたことを検出した場合には、制御項目のパラメータを、予め定められた第１の順序に従って変更し、タッチパネル８の出力から、左矢印ＳＷがタッチされたことを検出した場合には、制御項目のパラメータを、予め定められた第２の順序に従って変更し、タッチパネル８の出力から、右矢印ＳＷと左矢印ＳＷとが同時にタッチされたことを検出した場合には、制御項目のパラメータを確定する。【選択図】図２
2010263264.tif 000002
【特許請求の範囲】
【請求項１】
表示部と、
前記表示部に配設されたタッチパネルと、
当該撮影装置の動作に係る制御項目のパラメータを設定する制御回路と、
を備え、
前記制御回路は、前記制御項目のパラメータを設定する際に、
第１のソフトスイッチと第２のソフトスイッチを前記表示部に表示し、
前記タッチパネルの出力から、前記第１のソフトスイッチがタッチされたことを検出した場合には、前記制御項目のパラメータを、予め定められた第１の順序に従って変更し、
前記タッチパネルの出力から、前記第２のソフトスイッチがタッチされたことを検出した場合には、前記制御項目のパラメータを、予め定められた第２の順序に従って変更し、
前記タッチパネルの出力から、前記第１のソフトスイッチと前記第２のソフトスイッチとが同時にタッチされたことを検出した場合には、前記制御項目のパラメータを確定する、
ことを特徴とする撮影装置。
【請求項２】
前記制御回路は、前記表示部に表示された前記第１のソフトスイッチと前記第２のソフトスイッチとの間の領域に、前記制御項目のパラメータを表示する、
ことを特徴とする請求項１記載の撮影装置。
【請求項３】
前記制御回路は、
前記タッチパネルの出力から、前記第１のソフトスイッチがタッチされたことを検出した場合には、前記制御項目のパラメータである値を増加させ、
前記タッチパネルの出力から、前記第２のソフトスイッチがタッチされたことを検出した場合には、前記制御項目のパラメータである値を減少させる、
ことを特徴とする請求項１又は２記載の撮影装置。
【請求項４】
前記制御項目は、ＩＳＯ感度、フラッシュ発光方法、ホワイトバランス、露出補正値、露出時間、絞り値、画像を記録する際の解像度、焦点調整位置、撮影レンズの焦点距離、及び表示画像の拡大率、のうちの少なくとも一つを含む、
ことを特徴とする請求項１又は２記載の撮影装置。
【請求項５】
表示部と前記表示部に配設されたタッチパネルとを有する撮影装置の動作に係る制御項目のパラメータを設定する際に、
第１のソフトスイッチと第２のソフトスイッチを前記表示部に表示し、
前記タッチパネルの出力から、前記第１のソフトスイッチがタッチされたことを検出した場合には、前記制御項目のパラメータを、予め定められた第１の順序に従って変更し、
前記タッチパネルの出力から、前記第２のソフトスイッチがタッチされたことを検出した場合には、前記制御項目のパラメータを、予め定められた第２の順序に従って変更し、
前記タッチパネルの出力から、前記第１のソフトスイッチと前記第２のソフトスイッチとが同時にタッチされたことを検出した場合には、前記制御項目のパラメータを確定する、
ことを特徴とする撮影装置におけるパラメータ設定方法。
【請求項６】
表示部と前記表示部に配設されたタッチパネルとを有する撮影装置のコンピュータに、前記撮影装置の動作に係る制御項目のパラメータを設定する機能を実現させるためのプログラムであって、前記機能は、
第１のソフトスイッチと第２のソフトスイッチを前記表示部に表示する機能と、
前記タッチパネルの出力から、前記第１のソフトスイッチがタッチされたことを検出した場合には、前記制御項目のパラメータを、予め定められた第１の順序に従って変更する機能と、
前記タッチパネルの出力から、前記第２のソフトスイッチがタッチされたことを検出した場合には、前記制御項目のパラメータを、予め定められた第２の順序に従って変更する機能と、
前記タッチパネルの出力から、前記第１のソフトスイッチと前記第２のソフトスイッチとが同時にタッチされたことを検出した場合には、前記制御項目のパラメータを確定する機能と、
を備えることを特徴とするプログラム。
【発明の詳細な説明】
【技術分野】
【０００１】
本発明は、表示部にタッチパネルが配設される撮影装置に関する。
【背景技術】
【０００２】
撮影装置として、例えば特許文献１には、モニタの前面にタッチパネルを配設したカメラが提案されている。このカメラでは、モニタの一部に画像を表示しない領域を設定し、この領域にズーム操作ボタンや露出補正ボタン等の操作ボタンを表示する。そして、これらの操作ボタンがタッチパネルを介して操作（タッチ）されることによって、ズーム操作や露出補正等の操作が可能になっている。
【０００３】
一方、近年では、マルチタッチ（多点入力）が可能なタッチパネルが開発、製品化されている。例えば、マルチタッチに対応した小型静電容量方式タッチパネルがＳＭＫ社により開発されており、マルチタッチが可能なデジタイザーがＮ−Ｔｒｉｇ社により製品化されている。
【先行技術文献】
【特許文献】
【０００４】
【特許文献１】特開２００８−３１２２７０号公報
【発明の概要】
【発明が解決しようとする課題】
【０００５】
ところで、カメラの動作に係る制御項目は、例えばシャッター速度（Ｔｖ値）、絞り値（Ａｖ値）、ホワイトバランス（ＷＢ）、露出補正（±補正）等というように、多数存在する。これらの制御項目のパラメータは、例えば、アップダウンスイッチやボタン等といった機械的スイッチを用いて設定される。この場合、例えば、制御項目の一つであるシャッター速度のパラメータを設定するときには、アップダウンスイッチの操作によってパラメータ（シャッター速度の値：Ｔｖ値）が選択され、それとは別のスイッチ（ボタン）の操作によって選択中のパラメータが確定される。
【０００６】
このような制御項目のパラメータ設定に使用される機械的スイッチを、仮に、表示部に配設されたタッチパネルを用いて実現しようとする場合、表示部の表示画面には、操作性が向上するように、仮想的なアップダウンスイッチを配置すると共に、その仮想的なアップダウンスイッチにより選択されたパラメータを確定するための仮想的スイッチも更に配置して、表示する必要がある。このように、機械的スイッチをタッチパネルを用いて実現しようとする場合、表示画面に配置しなければならない仮想的スイッチは少なく無い。そのため、特に表示部が小型のカメラの場合には、表示画面も小型になることから、仮想的スイッチを操作し易い大きさで配置することが困難となり、操作性が低下する虞がある。
【０００７】
本発明は、上記実情に鑑み、表示部にタッチパネルが配設される撮影装置において、表示部の表示画面に配置して表示する仮想的スイッチの数を減らすことができる撮影装置、パラメータ設定方法、及びプログラムを提供することを目的とする。
【課題を解決するための手段】
【０００８】
上記目的を達成するため、本発明の第１の態様に係る撮影装置は、表示部と、前記表示部に配設されたタッチパネルと、当該撮影装置の動作に係る制御項目のパラメータを設定する制御回路と、を備え、前記制御回路は、前記制御項目のパラメータを設定する際に、第１のソフトスイッチと第２のソフトスイッチを前記表示部に表示し、前記タッチパネルの出力から、前記第１のソフトスイッチがタッチされたことを検出した場合には、前記制御項目のパラメータを、予め定められた第１の順序に従って変更し、前記タッチパネルの出力から、前記第２のソフトスイッチがタッチされたことを検出した場合には、前記制御項目のパラメータを、予め定められた第２の順序に従って変更し、前記タッチパネルの出力から、前記第１のソフトスイッチと前記第２のソフトスイッチとが同時にタッチされたことを検出した場合には、前記制御項目のパラメータを確定する、ことを特徴とする。
【０００９】
また、本発明の第２の態様に係る撮影装置は、上記第１の態様において、前記制御回路は、前記表示部に表示された前記第１のソフトスイッチと前記第２のソフトスイッチとの間の領域に、前記制御項目のパラメータを表示する、ことを特徴とする。
【００１０】
また、本発明の第３の態様に係る撮影装置は、上記第１又は２の態様において、前記制御回路は、前記タッチパネルの出力から、前記第１のソフトスイッチがタッチされたことを検出した場合には、前記制御項目のパラメータである値を増加させ、前記タッチパネルの出力から、前記第２のソフトスイッチがタッチされたことを検出した場合には、前記制御項目のパラメータである値を減少させる、ことを特徴とする。
【００１１】
また、本発明の第４の態様に係る撮影装置は、上記第１又は２の態様において、前記制御項目は、ＩＳＯ感度、フラッシュ発光方法、ホワイトバランス、露出補正値、露出時間、絞り値、画像を記録する際の解像度、焦点調整位置、撮影レンズの焦点距離、及び表示画像の拡大率、のうちの少なくとも一つを含む、ことを特徴とする。
【００１２】
また、本発明は、上記の装置に限らず、方法やプログラムとして構成することも可能である。
【発明の効果】
【００１３】
本発明によれば、表示部にタッチパネルが配設される撮影装置において、表示部の表示画面に配置して表示する仮想的スイッチの数を減らすことができるので、表示部が小型の装置の場合であっても、その表示画面に配置する仮想的スイッチを操作し易い大きさで配置することができ、操作性の低下を防止することができる。
【図面の簡単な説明】
【００１４】
【図１Ａ】一実施例に係るデジタルカメラの第１の外観斜視図である。
【図１Ｂ】一実施例に係るデジタルカメラの第２の外観斜視図である。
【図２】一実施例に係るデジタルカメラの主要構成を示すブロック図である。
【図３】一実施例に係るデジタルカメラの動作例を示す第１のフローチャートである。
【図４】一実施例に係るデジタルカメラの動作例を示す第２のフローチャートである。
【図５】一実施例に係るデジタルカメラの動作中に液晶モニタに表示される画面遷移例を示す図である。
【図６】ＩＳＯ感度のパラメータ設定時にソフトＳＷの操作に応じて変更されるパラメータの順序の一例を示す図である。
【発明を実施するための形態】
【００１５】
以下、本発明の実施例を図面を参照しながら説明する。
本発明の一実施例に係る撮影装置は、シングルタッチ及びマルチタッチの何れの操作も受付可能なタッチパネルを備えたデジタルカメラであって、シングルタッチ操作とマルチタッチ操作の組み合わせによって当該カメラに係る動作の制御項目のパラメータを設定することができるカメラである。
【００１６】
なお、本実施例に係るデジタルカメラの説明においては、「ハードＳＷ」、「ソフトＳＷ」という用語を、次のように定義する。
・ハードＳＷ（ハードスイッチ）：本実施例に係るデジタルカメラの外装に配設された機械的なスイッチ。このハードＳＷが操作されることで、機械的に電気接点がＯＮ又はＯＦＦする。
・ソフトＳＷ（ソフトスイッチ）：本実施例に係るデジタルカメラの表示部上に配設されたタッチパネルにより実現される仮想的なスイッチ。表示部にスイッチのイメージ（アイコンともいう）を表示し、これに対応するタッチパネル上の領域がタッチされることで、ハードＳＷと同様に、スイッチとして機能する。
【００１７】
図１Ａ及び図１Ｂは、本実施例に係るデジタルカメラの外観斜視図である。
同図Ａ及びＢに示したように、デジタルカメラ１は、当該カメラ正面に撮影レンズ２とフラッシュ３を備え、当該カメラ上面に撮影指示を行うためのレリーズスイッチ（以下「レリーズＳＷ」という）４を備え、当該カメラ左側面にヘッドフォン等が接続されるジャック５を備えている。また、当該カメラ背面には、撮影モードの設定指示を行うためのＲＥＣモードスイッチ（以下「ＲＥＣモードＳＷ」という）６と、再生モードの設定指示を行うためのＰＬＡＹモードスイッチ（以下「ＰＬＡＹモードＳＷ」という）７と、タッチパネル８による操作の受付可否を設定指示するためのタッチパネル許可スイッチ（以下「タッチパネル許可ＳＷ」という）９と、指や専用のペン或いはスティック等でタッチ或いはなぞる等の操作により当該カメラ１への各種の入力や指示等を可能にする、液晶モニタ上に配設されたタッチパネル８を備えている。尚、上記のタッチ操作には、触れる、押圧する、若しくはタップする等の操作も含まれ、なぞる操作には、擦る、摺動する、若しくは摺接する等の操作も含まれる。また、上記のレリーズＳＷ４、ＲＥＣモードＳＷ６、ＰＬＡＹモードＳＷ７、及びタッチパネル許可ＳＷ９は、いずれもハードＳＷである。
【００１８】
図２は、デジタルカメラ１の主要構成を示すブロック図である。
同図において、ＣＣＤ（Charge Coupled Devices）１１は、撮影レンズ２により結像された被写体像を電気信号（アナログ電気信号）に光電変換する。ＣＣＤインターフェース回路１２は、ＣＣＤ１１により光電変換された電気信号に対し所定の撮像処理を行い所定形式の画像データ（デジタル電子データ）を得る。
【００１９】
ＦｌａｓｈＲｏｍ１３には、当該カメラ１全体の動作を制御するための制御プログラムやその制御プログラムの実行に必要な各種データが記録されている。
ＳＤＲＡＭ（Synchronous DRAM）１４は、ＣＣＤインターフェース回路１２により得られた画像データの一時格納用、及びシステムコントローラ１５のワークエリア等として使用される。
【００２０】
システムコントローラ１５は、内部にＣＰＵを備え、当該ＣＰＵがＦｌａｓｈＲｏｍ１３に記録されている制御プログラムを読み出し実行することにより、当該カメラ１全体の動作を制御すると共に各種の処理を行う制御回路である。例えば、当該カメラ１の動作に係る制御項目のパラメータを設定する処理を行う。また、所定の画像処理や、画像データの圧縮及び伸長処理等も行う。
【００２１】
記録メディア（メディアカード）１６は、例えばメモリカードや小型ＨＤＤ（ハードディスク）等、当該カメラ１に着脱自在の記録媒体である。
マイク（マイクロフォン）１７は、音声を電気信号（アナログ電気信号）に変換する。音声コーデック回路１８は、マイク１７により変換された電気信号に対し所定のコード処理を行い所定形式の音声データ（デジタル電子データ）を得る。また、音声コーデック回路１８は、その音声データに対し所定のデコード処理を行いヘッドフォン１９等の外部発音装置が発音可能な形式の音声信号（アナログ電気信号）を得る。ジャック５は、音声コーデック回路１８とヘッドフォン１９等の外部の発音装置とを接続するためのコネクターである。なお、ヘッドフォン１９は、入力された音声信号に応じて発音する。
【００２２】
タッチパネル８は、透明のスクリーン状であって、液晶モニタ２０に重ねて配設され、指や専用のペン或いはスティック等で当該パネル８をタッチ或いはなぞる等の操作により当該カメラ１への各種の入力や指示を可能にするものである。タッチパネル検出回路２１は、タッチパネル８の出力から、指や専用のペン或いはスティック等がタッチパネル８に触れられているときに、その接触位置（操作位置とも言う）を検出する。なお、タッチパネル８及びタッチパネル検出回路２１は、シングルタッチによる入力や指示は勿論のこと、マルチタッチによる入力や指示も受け付け可能に構成されている。
【００２３】
液晶モニタ駆動回路２２は、液晶モニタ２０を駆動し、液晶モニタ２０は、液晶モニタ駆動回路２２による駆動に応じて画像やソフトＳＷや各種メニュー等を表示する表示部である。白黒ＬＣＤ２３は、当該カメラ１の設定状態を表示する。
【００２４】
カメラ操作ＳＷ２４は、上記のレリーズＳＷ４，ＲＥＣモードＳＷ６，ＰＬＡＹモードＳＷ７，タッチパネル許可ＳＷ９のほか、当該カメラ１の電源をＯＮ又はＯＦＦに指示するための図示しない電源スイッチ（以下「電源ＳＷ」という）等のハードＳＷを含み、当該カメラ１への所定の指示を行うためのスイッチ群である。
【００２５】
ＵＳＢ（Universal Serial Bus）コントローラ２５は、当該カメラ１とＵＳＢにより接続されている外部機器との間でデータの送受を行うための制御を行う。
フラッシュ駆動回路２６は、フラッシュ３を駆動し、フラッシュ３は、フラッシュ駆動回路２６による駆動に応じて発光する。
【００２６】
このような構成により、例えばＲＥＣモードＳＷ６が操作されて撮影モードが設定されているときにレリーズＳＷ４が操作されると、結像面に結像されている被写体像がＣＣＤ１１により電気信号に光電変化され、更にＣＣＤインターフェース回路１２により所定の画像処理が行われて所定形式の画像データが得られる。この画像データは、システムコントローラ１５により、所定の画像処理が行われた後、更に画像圧縮処理が行われて、記録メディア１６に記録される。
【００２７】
また、撮影モードが設定されているときに、所定の操作により当該カメラ１に録音指示が行われると所定時間の録音が可能になっており、この場合には、音声がマイク１７により電気信号に変換され、音声コーデック回路１８によりコード処理が行われて所定形式の音声データが得られる。そして、その音声データが記録メディア１６に記録される。
【００２８】
一方、例えばＰＬＡＹモードＳＷ７が操作されて再生モードが設定されているときに、指や専用のペン或いはスティック等によるタッチパネル８の操作によって記録メディア１６に記録されている特定の画像データの選択、再生指示が為されると、その画像データが記録メディア１６から読み出される。そして、読み出された画像データは、システムコントローラ１５により画像伸長処理が行われて、液晶モニタ２０に表示される。
【００２９】
また、再生モードが設定されているときに、同様にして記録メディア１６に記録されている特定の音声データの選択、再生指示が為されると、その音声データが記録メディア１６から読み出される。そして、読み出された音声データは、音声コーデック回路１８によりデコード処理が行われ、例えばジャック５に接続されているヘッドフォン１９により発音される。
【００３０】
また、タッチパネル許可ＳＷ９がＯＮされてタッチパネル８による操作受付の許可が設定された場合には、各種の入力や指示をタッチパネル８を介して行うことが可能となる。一方、タッチパネル許可ＳＷ９がＯＦＦされてタッチパネル８による操作受付の禁止が設定された場合には、それができなくなる。なお、タッチパネル許可ＳＷ９は、これが押下されると、押下されたままの位置に機械的にロックされてＯＮ状態となり、これが再び押下されると、そのロックが解除されて元の位置に戻りＯＦＦ状態となるスイッチである。従って、タッチパネル許可ＳＷ９が押下される毎に、タッチパネル８による操作受付の許可と禁止が、交互に設定されるようになる。
【００３１】
次に、システムコントローラ１５がＦｌａｓｈＲｏｍ１３に記録されている制御プログラムを読み出し実行することによって行われる、本実施例に係るデジタルカメラ１の動作の一例を、図３乃至６を用いて説明する。
【００３２】
図３及び図４は、その動作の一例を示すフローチャートである。図５は、その動作中に液晶モニタ２０に表示される画面遷移の一例を示す図である。図６は、ＩＳＯ感度のパラメータ設定時にソフトＳＷの操作に応じて変更されるパラメータの順序の一例を示す図である。
【００３３】
なお、本動作は、ユーザが当該カメラ１の電源ＳＷをＯＮへ操作すると開始する。
図３に示したように、本動作が開始すると、まず、ステップ（以下「Ｓ」という）１では、カメラ起動時の初期設定動作を行う。この初期設定動作では、メモリ（ＳＤＲＡＭ１４等）の初期化、動作モードの設定（本例では撮影モードを設定するものとする）、システムコントローラ１５の周辺回路の設定等が行われる。
【００３４】
Ｓ２では、液晶モニタ２０にライブビュー表示を行うライブビュー動作を開始する。このライブビュー動作は、システムコントローラ１５がＣＣＤインターフェース回路１２を制御して所定のフレームレートで画像データを順次取得し、取得した画像データを液晶モニタ２０が順次表示することによって行われる。これにより、被写体像がリアルタイムに液晶モニタ２０に表示されるようになる。
【００３５】
Ｓ３では、タッチパネル許可ＳＷ９が押下されているか否かを判定し、その判定結果がＹＥＳの場合にはＳ４へ移行し、ＮＯの場合にはＳ５へ移行する。
Ｓ４では、タッチパネル検出回路２１の動作を許可すると共に、ソフトＳＷである撮影設定スイッチ（以下「撮影設定ＳＷ」という）を、ライブビュー表示上に重畳させて、液晶モニタ２０に表示する。これにより、ソフトＳＷによる入力が許可される。
【００３６】
図５に示した表示画面３１は、この時の液晶モニタ２０の表示画面例を示している。表示画面３１上のソフトＳＷ３１ａが、ライブビュー表示上に重畳されて表示されている撮影設定ＳＷである。
【００３７】
Ｓ５では、タッチパネル検出回路２１の動作を禁止すると共に、この時に液晶モニタ２０に表示されているソフトＳＷがある場合には、これを表示しないようにする。これにより、ソフトＳＷによる入力が禁止される。そして、処理がＳ８へ移行する。
【００３８】
Ｓ６では、液晶モニタ２０に表示されている撮影設定ＳＷがタッチされたか否かを判定し、その判定結果がＹＥＳの場合にはＳ７へ移行し、ＮＯの場合にはＳ８へ移行する。
なお、このＳ６の判定のように、液晶モニタ２０に表示されているソフトＳＷがタッチされたか否かの判定は、そのソフトＳＷに対応するタッチパネル８上の領域がタッチされたことを検出したか否かを判定することによって行われるものである。
【００３９】
Ｓ７では、図４に示したサブルーチン「パラメータセット」を実行する。なお、この処理内容の詳細は後述するが、このサブルーチンが実行されると、当該カメラ１の動作に係る制御項目のパラメータを、タッチパネル８の操作、すなわちソフトＳＷの操作に応じて、設定することが可能とある。
【００４０】
Ｓ８では、レリーズＳＷ４が押下されているか否かを判定し、その判定結果がＹＥＳの場合にはＳ９へ移行し、ＮＯの場合にはＳ３へ戻る。
Ｓ９では、撮影に先立つ準備動作として、焦点調整動作と測光動作を行う。
【００４１】
Ｓ１０では、ライブビュー動作を停止する。
Ｓ１１では、撮影動作を行う。この撮影動作では、Ｓ９での測光動作により決定された露出条件の下、ＣＣＤ１１から静止画に係る画像データが取得され、所定の画像ファイルへ変換されて記録メディア１６に格納される。
【００４２】
Ｓ１２では、ライブビュー動作を再開して、Ｓ３へ戻る。
次に、上記Ｓ７で行われる、サブルーチン「パラメータセット」の処理内容について説明する。なお、一般的にカメラの動作に係る制御項目としては様々なものが存在するが、ここでは、説明の便宜上、ＩＳＯ感度（ＣＣＤ感度）、フラッシュ発光方法（フラッシュ発光モード）、ホワイトバランス（ＷＢ）の３つに限定して説明することにする。
【００４３】
図４に示したように、サブルーチン「パラメータセット」が開始すると、まず、Ｓ２１では、ライブビュー動作を停止する。
Ｓ２２では、ソフトＳＷとして、ＩＳＯ感度スイッチ（以下「ＩＳＯ感度ＳＷ」という）と、フラッシュ発光方法スイッチ（以下「フラッシュ発光方法ＳＷ」という）と、ホワイトバランススイッチ（以下「ホワイトバランスＳＷ」という）と、戻るスイッチ（以下「戻るＳＷ」という）を、液晶モニタ２０に表示する。ここで、ＩＳＯ感度ＳＷ、フラッシュ発光方法ＳＷ、及びホワイトバランスＳＷは、パラメータを設定可能な制御項目のソフトＳＷである。
【００４４】
図５に示した表示画面３２は、この時の液晶モニタ２０の表示画面例を示している。表示画面３２上のソフトＳＷ３２ａ、３２ｂ、３２ｃ、及び３２ｄが、ＩＳＯ感度ＳＷ、フラッシュ発光ＳＷ、ホワイトバランスＳＷ、及び戻るＳＷである。なお、この表示画面３２は、例えば、表示画面３１上の撮影設定ＳＷ３１ａがタッチパネル８を介してタッチされたときに表示される。
【００４５】
Ｓ２３では、液晶モニタ２０に表示されている戻るＳＷがタッチされたか否かを判定し、その判定結果がＹＥＳの場合にはＳ２４へ移行し、ＮＯの場合にはＳ２５へ移行する。
Ｓ２４では、ライブビュー動作を再開する。そして、当該サブルーチンをリターンして、図３のＳ８へ移行する。
【００４６】
Ｓ２５では、液晶モニタ２０に表示されているＩＳＯ感度ＳＷ、フラッシュ発光方法ＳＷ、及びホワイトバランスＳＷの何れか一つがタッチされたか否かを判定し、その判定結果がＹＥＳの場合には、タッチされたソフトＳＷに応じて、Ｓ２６、Ｓ１００、又はＳ２００へ移行し、ＮＯの場合にはＳ２３に戻る。すなわち、ＩＳＯ感度ＳＷに対応するタッチパネル８上の領域がタッチされた場合には、Ｓ２６へ移行してＩＳＯ感度のパラメータ設定動作が開始され、フラッシュ発光方法ＳＷに対応するタッチパネル８上の領域がタッチされた場合には、Ｓ１００へ移行してフラッシュ発光方法のパラメータ設定動作が開始され、ホワイトバランスＳＷに対応するタッチパネル８上の領域がタッチされた場合には、Ｓ２００へ移行してホワイトバランスのパラメータ設定動作が開始される。
【００４７】
なお、ここでは、Ｓ２６から開始されるＩＳＯ感度のパラメータ設定動作のみを詳細に説明し、フラッシュ発光方法のパラメータ設定動作（Ｓ１００）及びホワイトバランスのパラメータ設定動作（Ｓ２００）については、詳細な説明を割愛することとするが、フラッシュ発光方法のパラメータ設定動作（Ｓ１００）及びホワイトバランスのパラメータ設定動作（Ｓ２００）についても、ＩＳＯ感度のパラメータ設定動作と同様に処理が行われる。
【００４８】
ＩＳＯ感度のパラメータ設定動作が開始すると、まず、Ｓ２６では、液晶モニタ２０に、ソフトＳＷとして、左矢印スイッチ（以下「左矢印ＳＷ」という）、右矢印スイッチ（以下「右矢印ＳＷ」）、及び戻るＳＷを表示すると共に、その左矢印ＳＷと右矢印ＳＷとの間の領域に現時点で当該カメラ１に設定されているＩＳＯ感度のパラメータを表示する。なお、右矢印ＳＷは第１のソフトＳＷの一例であり、左矢印ＳＷは第２のソフトＳＷの一例である。
【００４９】
図５に示した表示画面３３は、この時の液晶モニタ２０の表示画面例を示している。表示画面３３上のソフトＳＷ３３ａ、３３ｂ、及び３３ｃが、左矢印ＳＷ、右矢印ＳＷ、及び戻るＳＷである。また、その左矢印ＳＷ３３ａと右矢印ＳＷ３３ｂとの間の領域に表示された「１００」が現時点で設定されているＩＳＯ感度のパラメータである。なお、この表示画面３３は、例えば、表示画面３２上のＩＳＯ感度ＳＷ３２ａがタッチパネル８を介してタッチされたときに表示される。
【００５０】
Ｓ２７では、液晶モニタ２０に表示されている右矢印ＳＷがタッチされたか否かを判定し、その判定結果がＹＥＳの場合にはＳ２８へ移行し、ＮＯの場合にはＳ２９へ移行する。
【００５１】
Ｓ２８では、液晶モニタ２０に表示されているＩＳＯ感度のパラメータを、一段分アップしたパラメータに変更する。但し、液晶モニタ２０に表示されているＩＳＯ感度のパラメータが上限値（例えば「１６００」）である場合には、そのパラメータが「ＡＵＴＯ」に変更される。なお、ＩＳＯ感度のパラメータとして「ＡＵＴＯ」が設定されると、ＩＳＯ感度のパラメータが被写体の状況に応じて自動的に設定されるようになる。或いは、液晶モニタ２０に表示されているＩＳＯ感度のパラメータが「ＡＵＴＯ」である場合には、そのパラメータが下限値（例えば「８０」）に変更される。
【００５２】
Ｓ２９では、液晶モニタ２０に表示されている左矢印ＳＷがタッチされたか否かを判定し、その判定結果がＹＥＳの場合にはＳ３０へ移行し、ＮＯの場合にはＳ３１へ移行する。
【００５３】
Ｓ３０では、液晶モニタ２０に表示されているＩＳＯ感度のパラメータを、一段分ダウンしたパラメータに変更する。但し、液晶モニタ２０に表示されているＩＳＯ感度のパラメータが下限値（例えば「８０」）である場合には、そのパラメータが「ＡＵＴＯ」に変更される。或いは、液晶モニタ２０に表示されているＩＳＯ感度のパラメータが「ＡＵＴＯ」である場合には、そのパラメータが上限値（例えば「１６００」）に変更される。
【００５４】
Ｓ３１では、液晶モニタ２０に表示されている右矢印ＳＷと左矢印ＳＷとが同時にタッチ（マルチタッチ）されたか否かを判定し、その判定結果がＹＥＳの場合にはＳ３２へ移行し、ＮＯの場合にはＳ３３へ移行する。
【００５５】
Ｓ３２では、液晶モニタ２０に表示されているＩＳＯ感度のパラメータを、当該カメラ１に設定するＩＳＯ感度のパラメータ（露出制御用ＩＳＯ感度のパラメータ）として確定する。これにより、液晶モニタ２０に表示されているＩＳＯ感度のパラメータが、当該カメラ１に設定される。そして、Ｓ３２の後は、Ｓ２２へ戻る。
【００５６】
Ｓ３３では、液晶モニタ２０に表示されている戻るＳＷがタッチされたか否かを判定し、その判定結果がＹＥＳの場合にはＳ３４へ移行し、ＮＯの場合にはＳ２７へ戻る。
Ｓ３４では、液晶モニタ２０に表示されているＩＳＯ感度のパラメータを破棄する。従って、この場合には、当該カメラ１に設定されているＩＳＯ感度のパラメータが変更されない。そして、Ｓ３４の後は、Ｓ２２へ戻る。
【００５７】
このように、Ｓ２６から開始されるＩＳＯ感度のパラメータ設定動作によれば、液晶モニタ２０に表示されている右矢印ＳＷがタッチパネル８を介してタッチされる毎に、例えば図６の実線矢印４１に示したような予め定められた順序に従って、液晶モニタ２０に表示されているＩＳＯ感度のパラメータが順次変更されるようになる。また、液晶モニタ２０に表示されている左矢印ＳＷがタッチパネル８を介してタッチされる毎に、例えば図６の点線矢印４２に示したような予め定められた順序に従って、液晶モニタ２０に表示されているＩＳＯ感度のパラメータが順次変更されるようになる。そして、その右矢印ＳＷと左矢印ＳＷとがタッチパネル８を介して同時にタッチ（マルチタッチ）されることにより、液晶モニタ２０に表示されているＩＳＯ感度のパラメータが、当該カメラ１に設定されるＩＳＯ感度のパラメータとして確定される。
【００５８】
なお、詳細な説明は割愛するが、フラッシュ発光方法のパラメータ設定動作（Ｓ１００）及びホワイトバランスのパラメータ設定動作（Ｓ２００）についても、上述のＩＳＯ感度のパラメータ設定動作と同様に処理が行われる。
【００５９】
すなわち、フラッシュ発光方法のパラメータ設定動作（Ｓ１００）が開始すると、液晶モニタ２０には、ソフトＳＷとして、左矢印ＳＷ（第２のソフトＳＷの一例）、右矢印ＳＷ（第１のソフトＳＷの一例）、及び戻るＳＷが表示されると共に、その左矢印ＳＷと右矢印ＳＷとの間の領域に現時点で当該カメラ１に設定されているフラッシュ発光方法のパラメータが表示される。図５に示した表示画面３４は、この時の液晶モニタ２０の表示画面例を示している。表示画面３４上のソフトＳＷ３４ａ、３４ｂ、及び３４ｃが、左矢印ＳＷ、右矢印ＳＷ、及び戻るＳＷである。また、その左矢印ＳＷ３４ａと右矢印ＳＷ３４ｂとの間の領域に表示された「強制発光」が現時点で設定されているフラッシュ発光方法のパラメータである。なお、この表示画面３４は、例えば、表示画面３２上のフラッシュ発光方法ＳＷ３２ｂがタッチパネル８を介してタッチされたときに表示される。このときの表示画面では、液晶モニタ２０に表示されている右矢印ＳＷがタッチパネル８を介してタッチされる毎に、予め定められた第１の順序に従って、液晶モニタ２０に表示されているフラッシュ発光方法のパラメータが順次変更されるようになる。また、液晶モニタ２０に表示されている左矢印ＳＷがタッチパネル８を介してタッチされる毎に、予め定められた第２の順序（例えば第１の順序とは逆の順序）に従って、液晶モニタ２０に表示されているフラッシュ発光方法のパラメータが順次変更されるようになる。そして、その右矢印ＳＷと左矢印ＳＷとがタッチパネル８を介して同時にタッチ（マルチタッチ）されることにより、液晶モニタ２０に表示されているフラッシュ発光方法のパラメータが、当該カメラ１に設定されるフラッシュ発光方法のパラメータとして確定される。なお、フラッシュ発光方法のパラメータとしては、「強制発光」のほか、例えば「オート発光」、「赤目軽減発光」、「発光禁止」等がある。
【００６０】
同様に、ホワイトバランスのパラメータ設定動作（Ｓ２００）が開始すると、液晶モニタ２０には、ソフトＳＷとして、左矢印ＳＷ（第２のソフトＳＷの一例）、右矢印ＳＷ（第１のソフトＳＷの一例）、及び戻るＳＷが表示されると共に、その左矢印ＳＷと右矢印ＳＷとの間の領域に現時点で当該カメラ１に設定されているホワイトバランスのパラメータが表示される。図５に示した表示画面３５は、この時の液晶モニタ２０の表示画面例を示している。表示画面３５上のソフトＳＷ３５ａ、３５ｂ、及び３５ｃが、左矢印ＳＷ、右矢印ＳＷ、及び戻るＳＷである。また、その左矢印ＳＷ３５ａと右矢印ＳＷ３５ｂとの間の領域に表示された「オート」が現時点で設定されているホワイトバランスのパラメータである。なお、この表示画面３５は、例えば、表示画面３２上のホワイトバランスＳＷ３２ｃがタッチパネル８を介してタッチされたときに表示される。このときの表示画面では、液晶モニタ２０に表示されている右矢印ＳＷがタッチパネル８を介してタッチされる毎に、予め定められた第１の順序に従って、液晶モニタ２０に表示されているホワイトバランスのパラメータが順次変更されるようになる。また、液晶モニタ２０に表示されている左矢印ＳＷがタッチパネル８を介してタッチされる毎に、予め定められた第２の順序（例えば第１の順序とは逆の順序）に従って、液晶モニタ２０に表示されているホワイトバランスのパラメータが順次変更されるようになる。そして、その右矢印ＳＷと左矢印ＳＷとがタッチパネル８を介して同時にタッチ（マルチタッチ）されることにより、液晶モニタ２０に表示されているホワイトバランスのパラメータが、当該カメラ１に設定されるホワイトバランスのパラメータとして確定されるようになる。なお、ホワイトバランスのパラメータとしては、「オート」のほか、例えば「晴天」、「曇天」、「電球」、「蛍光灯」等がある。また、ホワイトバランスのパラメータは、それぞれ、所定の色温度値に対応するものでもある（但し「オート」を除く）。
【００６１】
なお、図５に示した表示画面３６は、表示画面３３、３４、又は３５上の、左矢印ＳＷと右矢印ＳＷとがタッチパネル８を介して同時にタッチ（マルチタッチ）されたか（Ｓ３１がＹＥＳ）、或いは、表示画面３３、３４、又は３５上の戻るＳＷがタッチパネル８を介してタッチされたときに（Ｓ３３がＹＥＳ）、液晶モニタ２０に表示される画面例であり、表示画面３２と同一の画面でもある。また、表示画面３７は、表示画面３６上の戻るＳＷ３６ｄがタッチパネル８を介してタッチされたときに（Ｓ２３がＹＥＳ）液晶モニタ２０に表示される画面例である。
【００６２】
以上のように、本実施例に係るデジタルカメラ１によれば、当該カメラ１の動作に係る制御項目のパラメータを設定する際に、左矢印ＳＷ又は右矢印ＳＷをタッチパネル８を介してタッチ（シングルタッチ）することによりパラメータを変更し、左矢印及び右矢印をタッチパネル８を介して同時にタッチ（マルチタッチ）することによりパラメータを確定することができるので、少なくともパラメータを確定するためのソフトＳＷを別に設ける必要がなくなり、液晶モニタ２０に同時に表示するソフトＳＷの数を減らすことができる。従って、液晶モニタ２０の表示画面サイズが小さい場合であっても、その表示画面に配置するソフトＳＷを操作し易い大きさで配置することができ、操作性の低下を防止することができる。
【００６３】
なお、本実施例に係るデジタルカメラ１では、ＩＳＯ感度、フラッシュ発光方法、及びホワイトバランスを、ソフトＳＷにより設定可能な当該カメラ１の動作に係る制御項目とした。しかしながら、これら３つに限らず、例えば、ＩＳＯ感度、フラッシュ発光方法、ホワイトバランス、露出補正値、露出時間、絞り値、画像を記録する際の解像度、焦点調整位置（マニュアルフォーカスにおけるレンズ位置）、撮影レンズの焦点距離（ズームレンズにおける焦点距離）、及び表示画像の拡大率（ライブビュー表示における表示の拡大率、再生動作における再生画像の拡大率）等のうちの一つ以上を、ソフトＳＷにより設定可能な当該カメラ１の動作に係る制御項目とすることも可能である。
【００６４】
また、本実施例に係るデジタルカメラ１では、当該カメラ１の動作に係る制御項目のパラメータをソフトＳＷにより設定可能とした。しかしながら、これ以外にも、例えば、複数の条件（項目）の中から一つの条件（項目）を選択し確定する、という動作において、その選択及び確定をソフトＳＷにより同様にして行うことができるように構成することも可能である。
【００６５】
また、本実施例では、本発明をデジタルカメラに適用した場合の例を説明したが、例えば、表示部にタッチパネルが配設される、撮影機能付き装置（例えばカメラ付きの携帯電話器、ＰＨＳ、ＰＤＡ等）に同様に適用することも可能である。
【００６６】
以上、本発明について詳細に説明したが、本発明は上記実施例に限定されず、本発明の要旨を逸脱しない範囲において、各種の改良及び変更を行っても良いのはもちろんである。
【図１Ａ】
2010263264.tif 000003
【図１Ｂ】
2010263264.tif 000004
【図２】
2010263264.tif 000005
【図３】
2010263264.tif 000006
【図４】
2010263264.tif 000007
【図５】
2010263264.tif 000008
【図６】
2010263264.tif 000009